(57)【特許請求の範囲】
【請求項１】
係止部材挿入孔からコネクタハウジングに挿入した係止部材の係合部とコネクタハウジングとを係合させると共に、コネクタハウジングに収容した接続端子を係止部材により係止するコネクタにおいて、
前記コネクタハウジングが、前記接続端子を収容すると共に、前記係止部材の係合部と係合する係止部が対向する２つの外壁にそれぞれ設けられ、かつ、それら外壁に接続端子の収容方向とほぼ直交する方向に沿って設けられた案内溝を有する断面矩形状のハウジング本体と、そのハウジング本体を間隔を隔てて囲繞するフード部とからなり、
前記係止部材が、前記係合部と前記案内溝に挿入されて案内されるガイド片とが対向面にそれぞれ設けられ、可撓可能に一端が支持され、他端が自由端である一対の装着片と、それら一対の装着片を可撓可能に連結する連結部とから断面ほぼコ字状に形成され、
前記案内溝の係止部材挿入方向前方のフード部に、装着片を可撓させて装着片の係合部とコネクタハウジングとの係合を解除するように、前記案内溝に挿入されてガイド片の先端部とハウジング本体との間に先端部が案内される係合解除用治具が挿入される係合解除孔をそれぞれ設けたことを特徴とするコネクタ。
【請求項２】
前記装着片の先端部に、装着片をコネクタハウジングに係合させたとき、装着片の先端部とコネクタハウジングとの間に係合解除用治具の先端部が挿入し得る隙間を形成する傾斜部を設けた請求項１記載のコネクタ。
【請求項３】
前記係止部材の連結部に、前記一対の装着片とほぼ平行に延在し、前記接続端子を係止する係止片を有する端子係止部を設け、前記ハウジング本体に、該端子係止部が挿入される貫通孔を設け、かつ、該貫通孔の端子係止部材挿入方向前方のフード部に、端子係止部の先端部と当接して端子係止部を挿入方向後方に移動させると共に、前記貫通孔内に挿入される押出用治具を挿入する押出孔を設けた請求項１あるいは２記載のコネクタ。
【発明の詳細な説明】
【０００１】
【発明の属する技術分野】
本発明は、ハウジング本体に収容された接続端子を係止部材を用いて係止するコネクタに関するものである。
【０００２】
【従来の技術】
自動車等においてワイヤハーネスを電気的に接続するのに多種多様のコネクタが用いられ、このコネクタの１つとして係止部材であるスペーサを用いてコネクタハウジングの端子収容室に収容した接続端子を係止するものがある。
【０００３】
具体的には例えば、特開平２０００−２５２０００号公報に開示されているコネクタがある。この種のコネクタは、コネクタハウジングの後方から端子収容室に接続端子を収容し、コネクタハウジングの側方のスペーサ挿入孔からスペーサ（リテーナ）をコネクタハウジング内に挿入する。挿入されたスペーサの抜止め部と接続端子とが係合して接続端子が係止されるようになっている。
【０００４】
スペーサは、抜止め部の他に一対の保持片を有し、一対の保持片は、端部が板状の連結部を介して連結され、断面ほぼコ字状に形成されて可撓可能になっており、コネクタハウジングに取り付けると、ハウジング本体を上下から挟むように位置される。
一対の保持片の対向する対向面には、ハウジング本体の係止突起と係合する係止溝が設けられて、スペーサをコネクタハウジング内に挿入してスペーサの抜止め部と接続端子とが係合したとき、スペーサが係止されるようになっている。
【０００５】
【発明が解決しようとする課題】
ところで、前述のコネクタは、スペーサをコネクタハウジング内に挿入してコネクタハウジングに取り付け接続端子を係止するものであるが、コネクタハウジング内に挿入したスペーサを取り外すには、例えば、コネクタハウジングが、接続端子を前後方向に沿って収容するハウジング本体と、そのハウジング本体を間隔を隔てて囲繞する前面が開放されたフード部とからなり、そのハウジング本体に側方から挿入されてスペーサが取り付けられている場合には、フード部とハウジング本体との間の空間に、取出用治具の先端をハウジング本体の前後方向に沿って挿入して、スペーサの連結部材の中央部に設けた取出部に係合させる。係合後、取出用治具の先端をスペーサの挿入方向後方側に移動させて、スペーサとハウジング本体との係合を解除させ、スペーサを取り出すことが提案されている。
【０００６】
しかしながら、フード部とハウジング本体との間の空間は、例えば他のコネクタハウジングを嵌入して他のコネクタハウジングとの電気的な接続を行うもので、取出用治具を挿入してスペーサを挿入方向後方に移動させるには狭く、スペーサの係合を解除し難い。
【０００７】
そこで、本発明は、このような実状に鑑みなされたものであり、その目的は、スペーサの係合を容易に解除することができるコネクタを提供することにある。
【０００８】
【課題を解決するための手段】
前記目的を達成するために、本発明のコネクタは、係止部材挿入孔からコネクタハウジングに挿入した係止部材の係合部とコネクタハウジングとを係合させると共に、コネクタハウジングに収容した接続端子を係止部材により係止するコネクタにおいて、前記係止部材が、前記係合部が設けられていると共に可撓可能に一端が支持され、他端が自由端である装着片を有し、前記コネクタハウジングに、係止部材の挿入方向とは反対方向に挿入した係合解除用治具で装着片を可撓させて装着片の係合部とコネクタハウジングとの係合を解除する係合解除孔を設けたものである。
【０００９】
このように構成することで、コネクタハウジングと係止部材との係合を解除するには、係合解除用治具を係合解除孔に挿入して、係合解除用治具により装着片を可撓させて装着片の係合部とコネクタハウジングとの係合を解除する。このように、係合解除用治具を係止部材の挿入方向とは反対方向に挿入するため、確実に装着片と接触させることができ、かつ、他の部材を介することがなく、係合に関与している装着片を係合解除用治具と直接接触させて可撓させるので、スペーサの係合を解除し易い。
【００１２】
前記装着片の先端部に、装着片をコネクタハウジングに係合させたとき、装着片の先端部とコネクタハウジングとの間に係合解除用治具の先端部が挿入し得る隙間を形成する傾斜部を設けることが好ましい。
【００１３】
このように構成することで、係合解除用治具の先端部を装着片とコネクタハウジングの間に容易に挿入することができ、スペーサの係合を一層容易に解除することができる。
【００２０】
前記コネクタハウジングが、前記接続端子を収容すると共に、前記係止部材の係合部と係合する係止部が対向する２つの外壁にそれぞれ設けられ、かつ、それら外壁に接続端子の収容方向とほぼ直交する方向に沿って設けられた案内溝を有する断面矩形状のハウジング本体と、そのハウジング本体を間隔を隔てて囲繞するフード部とからなり、前記係止部材が、前記係合部と前記案内溝に挿入されて案内されるガイド片とが対向面にそれぞれ設けられた一対の装着片と、それら一対の装着片を可撓可能に連結する連結部とから断面ほぼコ字状に形成され、前記案内溝の係止部材挿入方向前方のフード部に、前記案内溝に挿入されてガイド片の先端部とハウジング本体との間に先端部が案内される係合解除用治具が挿入される係合解除孔をそれぞれ設けることが好ましい。
【００２１】
このように構成することで、係合解除用治具の先端部が案内溝によってガイド片の先端部と案内溝の底壁との間に案内されるので、ガイド片と案内溝の底壁との間に係合解除用治具の先端部が確実に挿入されることになり、スペーサの係合をより一層容易に解除することができる。
【００２２】
前記係止部材の連結部に、前記一対の装着片とほぼ平行に延在し、前記接続端子を係止する係合片を有する端子係止部を設け、前記ハウジング本体に、該端子係止部が挿入される貫通孔を設け、かつ、その貫通孔の端子係止部材挿入方向前方のフード部に、端子係止部の先端部と当接して端子係止部を挿入方向後方に移動させると共に、前記貫通孔内に挿入される押出用治具を挿入する押出孔を設けることが好ましい。
【００２３】
このように構成することで、係合解除用治具を係合解除孔に挿入して、係合解除用治具の先端により装着片を可撓させて係合を解除した後に、押出用治具を押出孔に挿入して係止部材を端子係止部を介して挿入方向後方側に移動させると、スペーサがコネクタハウジングから取り出される。従って、スペーサを容易に取り出すことができる。
【００２４】
【発明の実施の形態】
以下、本発明の実施の形態を添付図面に基づいて詳述する。
図１は本発明のコネクタの一例を示す図である。図１において、１はコネクタを示し、このコネクタ１は、図３及び図８に示すように、コネクタハウジング２の端子収容室３に収容した接続端子４を係止部材であるスペーサ（サイドスペーサ）５で係止するものである。
【００２５】
コネクタハウジング２は、図１、図３、図５乃至図７に示すように、合成樹脂により成形され、断面ほぼ矩形状のハウジング本体６と、そのハウジング本体６の側部を所定の間隔を隔てて囲繞するように設けられた前面開放の筒状のフード部７とからなる。このフード部７とハウジング本体６との間の空間が他のコネクタハウジング（図示せず）が嵌合される嵌合部８として形成されている。この嵌合部８の中央より奥であってハウジング本体６の外面（外壁）には、その全域（全周）にかけてシール部材１３が周設されて、他のコネクタハウジングが嵌合されたとき、他のコネクタハウジングとハウジング本体６との間がシールされるようになっている。
【００２６】
ハウジング本体６の内部には、その前後に延在すると共に貫通する複数の端子収容室３が上下二段に並設されている。各端子収容室３は断面矩形状の角孔として形成されており、コネクタハウジング２の後方から接続端子４が挿入されるようになっている。また、端子収容室３は、接続端子４と係合して接続端子４の抜出を防止するランス９が可撓自在に設けられていると共に、ランス９と係合した接続端子４の挿入方向前方側の移動を防止するように構成されている。
【００２７】
フード部７の一側面には、スペーサ５をフード部７（コネクタハウジング２）内に挿入してハウジング本体６に取り付けるための係止部材挿入孔であるスペーサ挿入孔１０が設けられている。ハウジング本体６の上下面には、スペーサ５を接続端子４の挿入方向（ハウジング本体６の前後方向）とほぼ直交する方向に沿って案内する断面凹状の案内溝１１がそれぞれ上下面の一端部から他端部にかけて連続して形成されている。これら案内溝１１の幅は、スペーサ５の一対の装着片１２、１２の幅より若干広い長さ、又は、装着片１２の一部が入る長さに形成される。案内溝１１が装着片１２の幅より若干広い長さに形成されている場合には、その深さは、好ましくは装着片１２の厚さとほぼ同じであることがよい。この場合、案内溝１１内の一側部近傍には、その長手方向に沿って延在するガイド溝を設けて、案内溝１１の底部をＬ字状に形成してもよい。このときのガイド溝と、装着片１２の一部が入る長さに形成された案内溝１１とが同じ機能を果たすものである。本実施の形態では案内溝が装着片１２の一部（ガイド片）が入る幅に形成されている場合について説明する。
【００２８】
また、ハウジング本体６の上下面の案内溝１１の近傍には、スペーサ５の挿入方向に沿って順次形成されている仮係止溝１４と本係止溝１５とからなる係止部１６が設けられている。仮係止溝１４と本係止溝１５との幅は、スペーサ５の係合部に応じて任意に決められるが、例えば装着片１２の幅以上に形成される。仮係止溝１４は、その接続端子挿入方向後方側がその方向とほぼ直交する方向に沿って壁部が形成されて後述の係合突起２４が仮係止溝１４内に入っているときその後方側に移動し難いようになっていると共に、前方側が傾斜されて前方への移動が可能になっている。本係止溝１５は、仮係止溝１４と隣接して配設され、その接続端子挿入方向後方側が傾斜されている。
【００２９】
ハウジング本体６の一側面のほぼ中央部には、ハウジング本体６の前後方向とほぼ直交する方向に沿って延在すると共に貫通する貫通孔１７が設けられている。貫通孔１７は、上下二段に並設された端子収容室３の間に位置されると共に、上下に配設される各端子収容室３の一部を横切って形成されている。
【００３０】
スペーサ５は、図１、図３乃至図５及び図９に示すように、合成樹脂により成形され、一対の装着片１２、１２及び一対の装着片１２、１２の端部を連結する連結部１８を有する断面ほぼコ字状のスペーサ本体１９と、そのスペーサ本体１９の連結部の中央部に一対の装着片１２、１２とほぼ平行に設けられた端子係止部２０とからなり、断面ほぼヨ字状に形成されている。
【００３１】
端子係止部２０は、板状に形成され、前記ハウジング本体６の貫通孔１７に挿脱自在に挿入されると共に、その貫通孔１７に挿入されたとき、貫通孔１７の反対側の開口部の近傍に先端部が臨む長さに形成されている。端子係止部２０の上下面には、貫通孔１７に挿入されたとき、各端子収容室３に位置されて、端子収容室３に収容された接続端子４と係合して接続端子４の端子収容室３からの抜出を防止する係止片２１が所定の間隔を隔ててそれぞれ複数設けられている。
【００３２】
スペーサ本体１９は、端子係止部２０より若干長い幅の平板状に形成され、ほぼ平行に対向する一対の装着片１２、１２と、一対の装着片１２、１２と同じ幅の平板状に形成され、一対の装着片１２、１２の端部を連結する連結部１８とから断面ほぼコ字状に形成されており、一対の装着片１２、１２が可撓可能に支持されている。
【００３３】
一対の装着片１２、１２及び連結部１８の厚さは、スペーサ５をハウジング本体６に取り付けたとき、他のコネクタハウジングが嵌合部８内に挿入し得る範囲から任意に決められる。
【００３４】
連結部１８の長さは、ハウジング本体６の高さ方向の寸法より若干長く形成されて、スペーサ５をハウジング本体６に取り付けたとき、ハウジング本体６の側部に当接して、一対の装着片１２、１２でハウジング本体６を上下に挟持して保持するようになっている。この連結部１８が当接するハウジング本体６の側部２２に、連結部１８の一部又は全部が入る連結部挿入溝を設けるようにしてもよい。このように連結部挿入溝を設けると、ハウジング本体６にスペーサ５を取り付けたとき、スペーサ５が案内溝１１及び連結部挿入溝に入り、嵌合部８に他のコネクタハウジングが容易に嵌合され得るようになる。
【００３５】
装着片１２の対向面（ハウジング本体６と接する面）のどちらか一方の側端部には、前記案内溝１１に挿入されるガイド片２３がそれぞれ立設されて、装着片１２は断面ほぼＬ字状に形成されている。ガイド片２３のほぼ中央より先端部までの高さが高く形成されていると共に、先端部が他の装着片１２よりその長手方向に突出している。
一対の装着片１２、１２の長さは、ハウジング本体６の幅の範囲内で任意に決められ、図示例では端子係止部２０より短く形成されている。
【００３６】
一対の装着片１２、１２の対向面には、その幅方向に延在し、ハウジング本体６の係止部１６と係合する係合部である係合突起２４が設けられている。係合突起２４の連結部側は、スペーサ５の挿入方向とほぼ直交する方向に沿って延在する垂直壁部が形成されていると共に、先端部側は前方側に移動し難いように傾斜部が形成されている。係合突起２４の位置は、ハウジング本体６の係止部１６の仮係止溝１４と係合したとき、スペーサ５を仮係止位置に位置決めして、端子収容室３内に接続端子４が挿入可能になっていると共に、本係止溝１５と係合すると、端子収容室３内に収納した接続端子４と端子係止部２０の係止片２１とが係合して、接続端子４の端子収容室３からの抜出を防止するような個所である。
なお、ハウジング本体６に仮係止溝１４と本係止溝１５とからなる係止部１６を設けると共に一対の装着片１２、１２に係合突起２４を設けたが、ハウジング本体６に係合突起２４を、一対の装着片１２、１２に仮係止溝１４と本係止溝１５とからなる係止部１６を設けるようにしてもよい。
【００３７】
また、フード部７のスペーサ挿入孔１０が設けられている一側面と対向する側面には、図１、図２、図５乃至図７に示すように、２つの係合解除孔２５、２５と１つの押出孔２６が穿設されている。
係合解除孔２５は、スペーサ５の挿入方向とは反対方向に挿入した係合解除用治具２７で装着片１２を可撓させて装着片１２の係合突起２４とハウジング本体６の係止部１６との係合を解除するためのものである。係合解除孔２５は、係合解除用治具２７が挿入し得るならば特に限定されず、例えば、図示するように矩形状の角孔に形成されている。
【００３８】
係合解除用治具２７を用いて係合を解除する手段としては、係合解除用治具２７で直接装着片１２を可撓させて係合の解除を行えるならばどのようにしてもよく、例えば係合解除用治具２７の先端部を装着片１２の先端部に穿設した孔に挿入して、この係合解除用治具２７の先端部をハウジング本体６から離れる方向に移動させて係合を解除するようにしてもよいが、好ましくは、図４に示すように、係合解除用治具２７の先端部を装着片１２とハウジング本体６との間に挿入して装着片１２を可撓させることがよい。
【００３９】
具体的には例えば、係合解除用治具２７としては、係合させる装着片１２に応じて任意に形成されるが、例えば装着片１２の一部であるガイド片２３のみに係合するものを用いる。係合解除用治具２７の先端部は矩形状に形成することが好ましい。係合解除用治具２７の先端部の幅は、特に限定されないが、好ましくはガイド片２３の幅とほぼ同じ寸法に形成して、係合解除用治具２７を案内溝１１に挿入して係合を解除するようにする。係合解除用治具２７の高さは、特に限定されないが、ガイド片２３の先端部２３ａとハウジング本体６（案内溝１１の底壁１１ａ）との間に容易に挿入できる寸法にすることが好ましい。係合解除用治具２７のハウジング本体側の面（裏面）は平面状に形成することがよく、また、この面と反対側の面（係合面）は平面であってもよいが、先端部から後方側にかけて漸次高さが高くなる傾斜部を設けることが好ましい。
【００４０】
ガイド片２３の対向面（ハウジング本体と接する面）の先端部に、先端部からその後方にいくに連れて漸次高さが高くなるように傾斜する傾斜部２８を設けることが好ましい。すなわち、ガイド片２３を案内溝１１に挿入したとき、ガイド片２３の先端部２３ａと案内溝１１の底壁１１ａとの間に隙間（空間）が形成され、この隙間に図４に示すように係合解除用治具２７の先端部２７ａが挿入し得るように傾斜部２８をガイド片２３の先端部２３ａに設けるようにすることが好ましく、その隙間に挿入された係合解除用治具２７の先端部２７ａが傾斜部２８に当接すると、ガイド片２３の先端部２３ａが案内溝１１の上方に移動し、さらに係合解除用治具２７が挿入されることで、ガイド片２３の先端部２３ａが案内溝から除々に上方に離れて、終には装着片１２の係合突起２４がハウジング本体６の係止部１６から離脱してその係合が解除されるようになっている。
【００４１】
押出孔２６は、図１、図２、図５乃至図７に示すように、スペーサ５の挿入方向とは反対方向に押出用治具２９を挿入して、スペーサ５を挿入方向後方側に押し出すものである。押出孔２６は、押出用治具２９が挿入し得るならば特に限定されず、例えば、図示するように矩形状の角孔に形成されている。
押出用治具２９は、スペーサ５をスペーサの挿入方向とは反対方向に押し出すもので、例えば端子係止部２０の先端部と当接すると共に貫通孔１７に挿入可能なものが用いられる。この場合、押出孔２６は、貫通孔１７のスペーサ挿入方向前方のフード部７に穿設されている。
この押出用治具２９と係合解除用治具２７とは、１つの治具として一体的に形成してもよいし、個別に形成してもよい。
【００４２】
さて、コネクタハウジング２にスペーサ５を取り付けるには、まず、スペーサ５をコネクタハウジング２の側方（コネクタハウジング２の前後方向にほぼ直交する方向）からスペーサ挿入孔１０を介してコネクタハウジング２内に挿入する。この挿入は、まず、スペーサ５の端子係止部２０をハウジング本体６の貫通孔１７に挿入してから、一対の装着片１２、１２のガイド片２３をハウジング本体６の案内溝１１に入れるが、このとき、スペーサ５の一対の装着片１２、１２が断面ほぼＬ字状に形成されているため、スペーサ５を逆向きに挿入しても、案内溝１１に入らないので、スペーサ５を正しい向きで挿入しないと挿入できない。
【００４３】
スペーサ５の向きが正しい場合には、ガイド片２３が案内溝１１内に入り、さらにスペーサ５をコネクタハウジング２内に押し込む。すると、まず、図５に示すように、係合突起２４がハウジング本体６の外壁に達してその外壁を乗り上がると、一対の装着片１２、１２の先端部が開く。そして係合突起２４が仮係止溝１４内に入ると、図６に示すように、一対の装着片１２、１２の先端部が弾性復帰して一対の装着片１２、１２がほぼ平行な状態に戻り、スペーサ５が仮係止位置に保持される。
【００４４】
この状態で、接続端子４がコネクタハウジング２の後方から端子収容室３内に挿入される。接続端子４は、端子収容室３内の正規位置まで達すると、挿入方向前方の移動が防止されると共に、ランス９により後方への移動が防止される。
接続端子４挿入後、スペーサ５をさらに押し込むと、係合突起２４が仮係止溝１４を形成する壁を乗り越えて、図７示すように、本係止溝１５内に入り、スペーサ５が本係止位置に保持される。ススペーサ５が本係止位置に保持されると、スペーサ５の端子係止部２０の各係止片２１が、各端子収容室３内に位置されて、端子収容室３内に収容されている接続端子４と係合して接続端子４の端子収容室３からの抜出が防止される。
【００４５】
このように、接続端子４の抜出をランス９とスペーサ５との２つの部材で行うため、より確実に接続端子４が端子収容室３から抜け出ることがない。
また、スペーサ５をハウジング本体６に取り付けることで、スペーサ５がハウジング本体６の外側に周設したシール部材１３の抜止にもなっている。
【００４６】
スペーサ５をコネクタハウジング２から取り出すときには、図１、図２、図５乃至図７に示すように、２つの係合解除孔２５、２５にそれぞれ係合解除用治具２７、２７を挿入して、係合解除用治具２７の先端部２７ａを、裏面が案内溝１１の底壁１１ａに接するように案内溝１１内に挿入する。この状態で、係合解除用治具２７をフード部７内に押し込む（挿入する）と、係合解除用治具２７の先端部２７ａが、図４に示すように、ガイド片２３の先端部２３ａと案内溝１１の底壁１１ａとの間に形成される隙間（空間）に挿入されてからガイド片２３の傾斜部２８に当接する。さらに押し込むと、係合解除用治具２７の先端部２７ａは、ガイド片２３と案内溝１１の底壁１１ａとの間に入り込み、ガイド片２３の先端部２３ａを案内溝１１の上方に徐々に押し上げる。ガイド片２３の先端部２３ａが所定の高さに達すると、装着片１２の係合突起２４がハウジング本体６の係止部１６から離脱して、ハウジング本体６の係止部１６と係合突起２４との係合が解除される。
【００４７】
このように、係合解除用治具２７をスペーサ５の挿入方向とは反対方向に挿入して先端部２７ａをガイド片２３と案内溝１１の底壁１１ａとの間に挿入するため、スペーサ５の長手方向に対して例えば直交する方向に沿って治具を挿入する場合に比して接触範囲が広いので、係合解除用治具２７とガイド片２３とを確実に接触させることができる。また、係合解除用治具２７の挿入により装着片１２が可撓して係合突起２４とハウジング本体６の係止部１６との係合が解除されるため、他の部材例えば連結部１８を介することがなく、係合に関与している装着片１２を直接係合解除用治具２７で可撓させるので、スペーサ５の係合を容易に解除することができる。
【００４８】
また、係合解除用治具２７の先端部２７ａをガイド片２３と案内溝１１の底壁１１ａとの間に挿入して装着片１２を可撓させて係合を解除するようにしたので、簡単な構造でスペーサ５の係合を解除することができる。
さらに、ガイド片２３の先端部に傾斜部２８を設けることで、係合解除用治具２７をガイド片２３と案内溝１１の底壁１１ａとの間に挿入し易くなり、スペーサ５の係合を一層容易に解除することができる。
【００４９】
また、係合解除用治具２７を案内溝１１に挿入することで、係合解除用治具２７の先端部２７ａが案内溝１１によってガイド片２３の先端部２３ａと案内溝１１の底壁１１ａとの間に案内されるので、ガイド片２３と案内溝１１との間に係合解除用治具２７の先端部２７ａが確実に挿入されることになり、スペーサ５の係合をより一層容易に解除することができる。
【００５０】
係合解除用治具２７の挿入によりハウジング本体６の係止部１６と係合突起２４との係合を解除した後、又は解除する前に、押出孔２６に押出用治具２９を挿入する。係合解除後に押出孔２６から挿入した押出用治具２９の先端部を端子係止部２０の先端部に当接して、さらに押出用治具２９を押し込む（挿入する）と端子係止部２０がスペーサ挿入方向とは反対方向に押圧される。このとき、係合解除用治具２７も押出用治具２９と共にフード部７内に挿入するようにすることが好ましい。
【００５１】
押出用治具２９により押圧されたスペーサ５（端子係止部２０）は係合が解除されているため、容易に動き（押し出され）、係合突起２４が係止部１６よりスペーサ挿入孔側に移動して、連結部１８がスペーサ挿入孔１０から指で充分に摘めるだけ突出したら、押出用治具２９の挿入を停止する。これにより、スペーサ５を簡単にスペーサ挿入孔１０から取り出せる。なお、スペーサ５がスペーサ挿入孔１０から完全に抜け出でるまで、押出用治具２９で押し出すようにしてもよい。
【００５２】
このように、係合解除用治具２７により係合が解除されたスペーサ５を押出用治具２９により押し出すことができ、スペーサ５を容易に取り出すことができる。
なお、係合解除用治具２７を挿入して係合を解除したとき、係合解除用治具２７の先端部２７ａが当接する当接部をガイド片２３の対向面に設けるか、又は、係合解除用治具２７に、ガイド片２３の先端部２３ａが当接する当接部を設けるようにしてもよい。このように、当接部を設けることで、係合解除後にさらに係合解除用治具２７を挿入すると、当接部を介してガイド片２３が係合解除用治具２７の挿入方向前方に押し出されるので、押出用治具２９と同様の機能をはたすので、スペーサ５を容易に取り出すことができる。この場合には、前記押出孔及び押出用治具を不要にすることもできる。
【００５３】
また、係合解除用治具２７及び押出用治具２９をフード部７内にハウジング本体６の前後方向（接続端子４の収容方向）にほぼ直交する方向に沿って挿入するため、嵌合部８内に設けられているシール部材１３を傷つけることがない。すなわち、嵌合部８内に取出用治具を挿入してスペーサ５を移動させる場合には、取出用治具を挿入しすぎると、シール部材１３と接触してシール部材１３を傷つけてしまうことがあり得るが、その恐れもなくなる。
【００５４】
【発明の効果】
以上要するに請求項１に記載の発明によれば、係合解除用治具を係止部材の挿入方向とは反対方向に挿入するため、確実に装着片と接触させることができ、かつ、他の部材を介することがなく、係合に関与している装着片を係合解除用治具と直接接触させて可撓させるので、スペーサの係合を容易に解除することができる。
【００５５】
請求項２に記載の発明によれば、係合解除用治具の先端部を装着片とコネクタハウジングとの間に挿入して装着片を可撓させて係合を解除するようにしたので、簡単な構造でスペーサの係合を解除することができる。
【００５６】
請求項３に記載の発明によれば、係合解除用治具の先端部を装着片とコネクタハウジングの間に容易に挿入することができ、スペーサの係合を一層容易に解除することができる。
【００５７】
請求項４及び５に記載の発明によれば、係合が解除されたスペーサを係合解除用治具により押し出されるので、スペーサを容易に取り出すことができる。
【００５８】
請求項６に記載の発明によれば、係合が解除されたスペーサを押出用治具により押し出すことができ、スペーサを容易に取り出すことができる。
【００５９】
請求項７に記載の発明によれば、係合解除用治具の先端部が案内溝によってガイド片の先端部と案内溝の底壁との間に案内されるので、ガイド片と案内溝の底壁との間に係合解除用治具の先端部が確実に挿入されることになり、スペーサの係合をより一層容易に解除することができる。
【００６０】
請求項８に記載の発明によれば、係合が解除されたスペーサを押出用治具により押し出すことができ、スペーサを容易に取り出すことができる。
【図面の簡単な説明】
【図１】本発明のコネクタの一例を示す斜視図である。
【図２】本発明のコネクタハウジングの一例を示す側面図である。
【図３】本発明のコネクタハウジングの一例を示す側断面図である。
【図４】本発明の案内溝に係合解除用治具を挿入した状態を示す断面図である。
【図５】本発明のコネクタハウジングにスペーサを装着する状態を示す断面図である。
【図６】本発明のスペーサを仮係止した状態を示す断面図である。
【図７】本発明のスペーサを本係止した状態を示す断面図である。
【図８】本発明の端子収容室に接続端子を収容した状態を示す断面図である。
【図９】本発明のスペーサの一例を示す側面図である。
【符号の説明】
１    コネクタ
２    コネクタハウジング
４    接続端子
５    スペーサ（係止部材）
６    ハウジング本体
７    フード部
１０  スペーサ挿入孔（係止部材挿入孔）
１１  案内溝
１２  装着片
１６  係止部
１８  連結部
２０  端子係止部
２１  係止片
２３  ガイド片
２４  係合突起（係合部）
２５  係合解除孔
２６  押出孔
２７  係合解除用治具
２８  傾斜部
２９  押出用治具
【図１】
0003754642.tif 000002
【図２】
0003754642.tif 000003
【図３】
0003754642.tif 000004
【図４】
0003754642.tif 000005
【図５】
0003754642.tif 000006
【図６】
0003754642.tif 000007
【図７】
0003754642.tif 000008
【図８】
0003754642.tif 000009
【図９】
0003754642.tif 000010